(57)【特許請求の範囲】
【請求項１】
レンズを保持する筒体を、カム溝と当該カム溝に嵌合するカムフォロアとにより鏡筒ベースに対して被写体側撮像面側の光軸方向に移動自在とするレンズ鏡筒であって、
前記カム溝が、撮像領域において前記カムフォロアに嵌合する第１のサイズ部分と、非撮像領域において、前記カムフォロアに前記撮像領域での嵌合よりもゆるく嵌合する第２のサイズ部分とを具備し、
前記カム溝は前記第２のサイズ部分において、撮像面側の側面で前記カムフォロアに対応する第１の斜面を具備し、被写体側の側面で前記カムフォロアよりも緩い第２の斜面を具備し、
前記レンズ鏡筒が更に、前記筒体が撮像面側へ移動してバリア突起と固定突起と接触することによりバリアの開く方向の付勢力に抗しつつ前記筒体が被写体側に押し出す方向に付勢されてバリアを閉成動作するレンズバリア機構であって、前記撮像領域から前記非撮像領域に移行する場合で、前記カムフォロアが前記第２のサイズのカム溝に嵌合しているときに前記接触による前記バリアの閉成動作を開始するレンズバリア機構を具備する
ことを特徴とするレンズ鏡筒。
【請求項２】
請求項１に記載のレンズ鏡筒を具備することを特徴とする撮像装置。
【発明の詳細な説明】
【０００１】
【発明の属する技術分野】
本発明は、カムによりレンズを移動させるレンズ鏡筒及び撮像装置に関する。
【０００２】
【従来の技術】
小型化を図ったカメラとして、撮影を行わない時には撮影レンズをカメラ本体に収納できる沈胴式鏡筒を有する構成が知られている。このような沈胴式鏡筒には、複数のレンズ群からなる可変焦点距離の、いわゆるズーム鏡筒もある。ズーム鏡筒のそれら複数のレンズ群を所定のズーム曲線に沿って移動させる手段としてカム機構を使用する構成が知られている。すなわち、カムを駆動することでレンズ群を所定の位置に移動させる。この構成では、非撮影時に沈胴状態になるようにカムを構成することで、１本のカム曲線により収納位置から撮影位置にレンズ群を移動可能な鏡筒を実現できる。
【０００３】
また、レンズ群の保持にカム手段の嵌合を使用する方法が知られている。例えば、レンズ群と、レンズ群の周囲に等間隔に植設された複数のカムフォロワと、これらレンズ郡を覆い、その複数のカムフォロワに対応したカム溝を有する円筒と、レンズ群を直進させる直進手段とによって鏡筒を構成することで、レンズ群の保持にガイドバー及びレンズ群に形成される軸受けが不要となり、コンパクトで組み立て性のよい鏡筒を実現できる。
【０００４】
更に、撮影を行わない時には、撮影レンズを保護するレンズバリアを撮影レンズの前面に設ける構成が知られており、このレンズバリアをカメラの撮影状態に合わせて自動開閉するカメラも知られている。レンズバリアの開閉駆動に開閉専用のモータを設ける構成と、鏡筒の沈胴動作及び繰り出し動作に連動してレンズバリアを開閉する構成が知られている。
【０００５】
【発明が解決しようとする課題】
しかしながら、撮影レンズとして所要の光学性能を得るには、各レンズ群を所定の位置に正確に保持する必要がある。カム手段の嵌合によりレンズ群を保持する場合には、嵌合ガタが撮影レンズの光学性能の低下の原因となるので、カム手段には可能な限り嵌合ガタを少なくしたきつい嵌合設定が要求される。きつい嵌合設定を実現するには、カム及びカムフォロワの製造誤差を小さくする必要があり、部品の製作コストの増加の原因となっている。
【０００６】
従来例では、カム溝の断面形状が収納位置から撮影可能位置の間で同一であり、撮影しない状態であっても、撮影時と同じきつい嵌合設定のカム手段によってレンズ群が駆動されている。つまり、レンズ群の保持に精度が不要にも関わらず嵌合がきつく、鏡筒駆動に大きな負荷がかかっており、モータ駆動の場合には不必要に大きな電力を消費していた。カムとカムフォロワの摩耗を進める原因にもなっていた。
【０００７】
自動開閉するレンズバリアを備えた鏡筒では、鏡筒の沈胴動作時及び繰り出し動作時に合わせてレンズバリアを開閉する。このようなレンズバリアを有する鏡筒では、鏡筒の沈胴又は繰り出し動作の負荷とレンズバリアの開閉動作の負荷が重なるので、モータへの負担が一時的に非常に大きくなる。
【０００８】
更には、小型カメラのように携帯して使用される場面が多い機器の場合、電池を交換又は充電せずに長時間使用できることは、大変重要な性能である。駆動時間の延長の観点からも、鏡筒駆動の負荷の低減が求められている。
【０００９】
本発明は、低負荷で長寿命のレンズ鏡筒及び撮像装置を提示することを目的とする。
【００１０】
【課題を解決するための手段】
本発明に係るレンズ鏡筒は、レンズを保持する筒体を、カム溝と当該カム溝に嵌合するカムフォロアとにより鏡筒ベースに対して被写体側撮像面側の光軸方向に移動自在とするレンズ鏡筒であって、前記カム溝が、撮像領域において前記カムフォロアに嵌合する第１のサイズ部分と、非撮像領域において、前記カムフォロアに前記撮像領域での嵌合よりもゆるく嵌合する第２のサイズ部分とを具備し、前記カム溝は前記第２のサイズ部分において、撮像面側の側面で前記カムフォロアに対応する第１の斜面を具備し、被写体側の側面で前記カムフォロアよりも緩い第２の斜面を具備し、前記レンズ鏡筒が更に、前記筒体が撮像面側へ移動してバリア突起と固定突起と接触することによりバリアの開く方向の付勢力に抗しつつ前記筒体が被写体側に押し出す方向に付勢されてバリアを閉成動作するレンズバリア機構であって、前記撮像領域から前記非撮像領域に移行する場合で、前記カムフォロアが前記第２のサイズのカム溝に嵌合しているときに前記接触による前記バリアの閉成動作を開始するレンズバリア機構を具備することを特徴とする。
【００１１】
本発明に係る撮像装置は、上述のレンズ鏡筒を具備する。
【００１２】
以下、図面を参照して、レンズバリアがレンズ群の沈胴動作に連動して開閉するズームレンズ鏡筒を有するカメラに適用した本発明の実施例を詳細に説明する。
【００１３】
図１は、本発明の一実施例の断面図、図２は、その分解斜視図を示す。本実施例のレンズ鏡筒１０は、６つの筒体、すなわち、筒体１２、移動カム筒１４、直進筒１６、固定カム筒１８、駆動環２０及び鏡筒ベース２２を具備する。最も物体側の筒体１２は、最も物体側に位置する第１レンズ群２４を保持する。その他のレンズ群は、図示を省略してある。筒体１２の外周上には、その周方向に１２０゜間隔でカムフォロア１２ａを植立してあり、カムフォロア１２ａと同軸に円柱形状の直進ピン１２ｂを植立してある。
【００１４】
移動カム筒１４は、内周に筒体１２を所定の位置に繰り出すカム溝１４ａを有する。図３は、移動カム筒１４の内面の展開図を示す。詳細は後述するが、移動カム筒１４は、駆動環２０により駆動されて光軸を中心に回転し、この回転に伴い、固定カム筒１８のカム溝１８ａに沿って光軸方向へ移動する。図４は、固定カム筒１８の内面の展開図を示す。
【００１５】
カム溝１４ａの形状を説明する。カム溝１４ａは、カムフォロワ１２ａに対応して、移動カム筒１４の内周に１２０度の等間隔に３本、同じ形状で形成されている。３本のカムフォロワ１２ａが、それぞれ別々のカム溝１４ａに嵌合することで、筒体１２が３次元的に位置決めされる。
【００１６】
カム溝１４ａは、４つの部分、すなわち、筒体１２を移動カム筒１４に組み込む先にカムフォロア１２ａが嵌合する挿入カム１４ａ−１、筒体１２を沈胴位置で保持する沈胴カム１４ａ−２、筒体１２を沈胴位置と撮影に供する撮影位置の間で移動させる繰り出しカム１４ａ−３、及び筒体１２を撮影位置の中でズーム移動させる撮影カム１４ａ−４からなる。
【００１７】
直進筒１６は、筒体１２をカム溝１４ａに沿って移動させるために、筒体１２を回転させずに光軸方向に直進するだけに規制する。直進筒１６は、移動カム筒１４の内周面に回転自在に嵌合する。直進筒１６は、その内径が筒体１２の外径より大きく、外径が移動カム筒１４の内径より小さい。直進筒１６の外周面上で最も物体側には、抜け止めピン１６ａが植立されており、これに対面するように、移動カム筒１４の内面の物体側には、円周方向へ切られた抜け止め溝１４ｂが形成されている。抜け止めピン１６ａが抜け止め溝１４ｂに入り込むことで、直進筒１６は、移動カム筒１４の内周で回転自在であるとともに、移動カム筒１４と一体に光軸方向へ移動する。
【００１８】
直進筒１６の外周上で最も内側には、１２０度の等間隔に３本の直進キー１６ｂが植立されている。直進キー１６ｂが固定カム筒１８の光軸方向に延びる直進キー溝１８ｂ（図４参照）に嵌合することにより、直進筒１６は、回転せずに光軸方向にのみ移動可能になる。
【００１９】
直進筒１６の周上には、筒体１２の直進ピン１２ｂに対応して、３個所に、光軸方向に延びる直進溝１６ｃを形成してある。筒体１２の直進ピン１２ｂは直進溝１６ｃに嵌合し、これにより、筒体１２は光軸方向への移動だけに規制される。この結果、移動カム筒１４が回転しても、筒体１２は、回転せずに、カム溝１４ａに沿って光軸方向へ移動する。
【００２０】
鏡筒ベース２２は、本実施例の鏡筒の土台となる。固定カム筒１８は、鏡筒ベース２２に固定される。２６（図１）は、撮像面である。
【００２１】
移動カム筒１４の外周面には、光軸を中心とした円周上で１２０度の等間隔に３本のカムフォロア１４ｃが植立されている。カム溝１８ａは、カムフォロワ１４ｃに対応して、固定カム筒１８の内周に１２０度の等間隔に３本、同じ形状で形成されている。３本のカムフォロワ１４ｃがそれぞれ別のカム溝１８ａに嵌合することで、移動カム筒１４が位置決めされる。
【００２２】
固定筒１８は、駆動環２０内にほぼ密接に入り込む。駆動環２０は、上述した構成により移動カム筒１４を回転駆動する。駆動環２０の内周面には、１２０度の等間隔で光軸方向に延びる駆動キー溝２０ａが形成されている。この駆動キー溝２０ａに個別に嵌合するように、移動カム筒１４の外周面上に３本の駆動ピン１４ｄが植立されている。駆動キー溝２０ａと駆動ピン１４ｄの嵌合により、駆動環２０の回転に伴い移動カム筒１４が回転する。なお、駆動ピン１４ｄは固定カム筒１８を貫通している。
【００２３】
図４を参照して、固定カム筒１８を内面の構造を詳しく説明する。カム溝１８ａは、大きく４つの部分、即ち、移動カム筒１４を固定カム筒１８に組み込むための挿入カム１８ａ−１と、移動カム筒１４を沈胴位置で保持する沈胴カム１８ａ−２と、移動カム筒１４を沈胴位置と撮影に供する撮影位置の間で移動させる繰り出しカム１８ａ−３と、移動カム筒１４を撮影位置の中でズーム動作により移動させる撮影カム１８ａ−４からなる。前述したように、カムフォロワ１４ｃがカム溝１８ａに嵌合しており、且つ、駆動環２０により移動カム筒１４が回転させられるので、移動カム筒１４はカム溝１８ａに従って光軸方向へ移動する。
１８ｃは、駆動ピン１４ｄが固定カム筒１８を貫通するための逃げ穴である。
【００２４】
本実施例のレンズ鏡筒１０の全体的な動作を説明する。初期状態として鏡筒１０は沈胴状態にあると仮定し、沈胴状態から撮影状態への鏡筒１０の繰り出し動作を説明する。駆動環２０は、図示しないモータにより回転駆動される。
【００２５】
沈胴状態では、カムフォロワ１２ａは移動カム筒１４のカム溝１４ａの沈胴カム１４ａ−２に嵌合している。カムフォロワ１４ｃは、固定カム筒１８のカム溝１８ａの沈胴カム１８ａ−２に嵌合している。図２のＤは、駆動環２０の回転方向を示す。矢印の方向を正転とする。この状態で駆動環２０が正転することで、鏡筒１０が繰り出され撮影可能な状態となる。
【００２６】
駆動環２０の回転は、先ず移動カム筒１４に伝えられる。移動カム筒１４が回転すると、カムフォロワ１４ｃが固定カム筒１８の沈胴カム１８ａ−２から繰り出しカム１８ａ−３に移動する。このとき、筒体１２は直進筒１６によって回転しないので、カムフォロワ１２ａが、移動カム筒１４の回転により移動カム筒１４のカム溝１４ａの沈胴カム１４ａ−２から繰り出しカム１４ａ−３に移動する。
【００２７】
このように、駆動環２０の回転により移動カム筒１４が繰り出され、繰り出された移動カム筒１４に対して筒体１２が繰り出される。更に駆動環２０が回転すると、筒体１２と移動カム筒１４はそれぞれ撮影カム１４ａ−４，１８ａ−４上に移動し、鏡筒１０は撮影可能な状態となる。筒体１２の絶対的な位置は筒体１２の位置と移動カム筒１４の位置を足し合せたものとなる。
【００２８】
図５は、カム溝１４ａ，１８ａのカム曲線と、それらを足し合せたカム曲線を示す。横軸は、沈胴位置を０度としたときの駆動環２０の回転角を示す。縦軸は、沈胴位置からの変位を示す。３０はカム溝１４ａのカム曲線を示し、３２はカム溝１８ａのカム曲線を示す。３４は、カム曲線３０とカム曲線３２を加算した結果のカム曲線を示す。合成カム曲線３４は、筒体１２の撮像面２６からの変位を示す。
【００２９】
レンズ鏡筒１０のレンズバリア機構４０を説明する。図６は、開いている状態のレンズバリア機構４０の分解斜視図を示す。レンズバリア機構４０は、４枚の板状のバリア４２，４４，４６，４８からなる。バリア４２，４４は互いに同形状であり、レンズ前面の中心部を主に遮蔽する。バリア４６，４８は互いに同形状であり、レンズ前面の周辺部を主に遮光する。これらのバリア４２，４４，４６，４８は、後述するように回転動作によってレンズ前面を開閉する。バリア４２，４４の形状及び動作は互いに光軸を中心として点対称であり、バリア４６，４８の形状及び動作は互いに光軸を中心として点対称である。
【００３０】
バリア４２，４４の一端にはバリア４２，４４の回転中心となる孔４２ａ，４４ａを開けてあり、その孔４２ａ，４４ａにはそれぞれ筒体１２の不図示の軸が嵌合する。同様に、バリア４６，４８の一端にはバリア４６，４８の回転中心となる孔４６ａ，４８ａを開けてあり、その孔４６ａ，４８ａにはそれぞれ、孔４２ａ，４４ａに嵌合する筒体１２の同じ軸が嵌合する。バリア４６，４８はそれぞれ、バリア４２，４４に連動してバリア４６ａ，４８ａを中心に回転する。
【００３１】
５０はバリア４２，４４を回転駆動するバリア駆動板である。バリア駆動板５０は筒体１２に嵌合し、光軸を中心として回転可能である。バリア駆動板５０の１８０゜離れた両側に切り欠き５０ａ，５０ｂを形成してある。切り欠き５０ａには、バリア４２の、孔４２ａの近くに植立したバリア駆動ピン４２ｂが介入し、切り欠き５０ｂには、バリア４４の、孔４４ａの近くに植立したバリア駆動ピン４４ｂが介入する。バリア駆動板５０が光軸を中心に回転すると、切り欠き５０ａ，５０ｂとバリア駆動ピン４２ｂ，４４ｂの係合により、バリア４２，４４が孔４２ａ，４４ａを中心に回転する。
【００３２】
バリア駆動板５０は、図示しないバネによりＢ方向（図２）に付勢されている。これにより、バリア４２，４４は開く方向へ付勢され、バリア４６，４８は、バリア４２，４４に連動して開く方向へ付勢される。鏡筒が撮影可能な状態にあるときには、バリア駆動板５０は自由に回転でき、バリア４２，４４，４６，４８は、バリア駆動板５０をＢ方向へ付勢するばねによって常に開いた状態になる。
【００３３】
バリア駆動板５０の撮像面側にはバリア突起５０ｃが形成され、このバリア突起５０ｃに対応して、鏡筒ベース２２に固定突起５２が形成されている。バリア突起５０ｃの斜面５０ｄと、固定突起５２の斜面５２ａが互いに対面する。バリア突起５０の斜面５０ｄと固定突起５２の斜面５２ａは、鏡筒１０が撮影状態のときには接触しないが、筒体１２のカムフォロア１２ａが繰り出しカム１４ａ−３に嵌合し沈胴状態へ移行する途中で接触する。更に沈胴方向へ筒体１２が移動するにつれ、バリア突起５０の斜面５０ｄは、固定突起５２の斜面５２ａ上を滑りながら力を受け、図２のＢ方向とは逆の方向にバリア駆動板５０を回転させる。これにより、バネの力に抗してバリア４２〜４８がが徐々に閉じてゆく。筒体１２のカムフォロア１２ａが完全に沈胴カム１４ａ−２に移動する前に、バリア４２〜４８は完全に閉じた状態になる。
【００３４】
図７は、カム溝１４ａの沈胴カム１４ａ−２及び撮影カム１４ａ−４における断面図を示す。カムフォロワ１２ａは、沈胴カム１４ａ−２及び撮影カム１４ａ−４ときつく嵌合する。カメラは沈胴状態で持ち運ばれることが多く、レンズ鏡筒１０は持ち運ばれるときの振動及び衝撃に対抗しうる強度が必要になる。沈胴状態でのカムのガタが大きいと、振動又は衝撃によりレンズ鏡筒１０が激しく動き、カムを破損してしまうことがあるので、沈胴カム１４ａ−２は、撮影カム１４ａ−４程ではないが、きつく嵌合していなければならない。また、撮影状態では、所要の光学性能を発揮するためにも、筒体１２を精度よく位置させることが必要であり、カムにはきつい嵌合と高い精度が要求される。
【００３５】
一方、鏡筒の繰り出し時には、筒体１２を保持する必要がなく、精度よく位置させる必要もない。そのため、カムの嵌合をゆるめることが可能であり、ゆるめるのが好ましい。図８は、カム溝１４ａの繰り出しカム１４ａ−３の一部の断面図の一例を示す。この例では、カムフォロワ１２ａの断面形状に対して、カム１４ａ−３の溝を開くことで、カムフォロワ１２ａとのゆるい嵌合を実現している。このように嵌合を緩めることによって、鏡筒を駆動するモータへの負荷が軽くなり、電力の消費を抑えることができるとともに、カムフォロワ及びカム溝の摩耗を低減できる。更には、嵌合が緩い繰り出しカム１４ａ−３では、カム溝に高い精度が必要ないので、移動カム筒１４の製造コストを低減できる。
【００３６】
図９は、カム溝１４ａの繰り出しカム１４ａ−３の一部の別の断面構造を示す。この例では、カムフォロワ１２ａの断面形状に対してカム１４ａ−３の溝の幅を広げることでカムフォロワ１２ａとのゆるい嵌合を実現している。これにより、上記のような省電力効果、部品摩耗の低減効果及びコスト低減効果を実現する。
【００３７】
筒体１２と移動カム筒１４のカム嵌合状態とレンズバリアの動作状態との関係を説明する。筒体１２のカムフォロア１２ａが、撮影カム１４ａ−４に嵌合しているときには、図１０に示すように、バリア突起５０ｃと固定突起５２は大きく離れている。沈胴に伴い、筒体１２のカムフォロア１２ａが繰り出しカム１４ａ−３と嵌合するようになるが、筒体１２が図３のＰ点に達する少し前までは、図１０に示すのと同様にバリア突起５０ｃと固定突起５２は離れている。Ｐ点の直前でバリア突起５０ｃと固定突起５２は図１１に示すように当接し始める。その後は、沈胴するに従い、図１２に示すようにバリア突起５０ｃの斜面５０ｄと固定突起５２の斜面５２ａが擦れながら、バリア駆動板５０を回転させ、レンズバリア機構４０が閉じる。図１３は、完全に沈胴したときのバリア突起５０ｃと固定突起５２の当接状態を示す。
【００３８】
筒体１２は、カムフォロア１２ａが撮影カム１４ａ−４と嵌合しているときには、前述のようにガタつかない。バリア突起５０ｃと固定突起５２が当接している時には、筒体１２には光軸方向へ付勢力が働き、ガタつきが抑えられる。従って、筒体１２は、バリア突起５０ｃと固定突起５２が当接した後に嵌合がゆるい状態に推移するので、どのカムに嵌合していても決してガタつくことはない。
【００３９】
図８又は図９に示す断面の繰り出しカム１４ａ−３と、図７に示す断面のカム１４ａ−２，１４ａ−４とは、図３に示すように、なだらかに形状が変化して接続する。これにより、カムフォロワ１２ａは、途中で引っ掛かることなく滑らかに、きつい嵌合と緩い嵌合の間を移行できる。
【００４０】
バリア突起５０ｃの斜面５０ｄと固定突起５２の斜面５２ａの接触により、筒体１２は被写体側に押し出す方向へ付勢される。繰り出しカム１４ａ−３の形状のなだらかな変化の直前に、バリア突起５０ｃの斜面５０ｄと固定突起５２の斜面５２ａを接触させるように設計することで、カムの嵌合がゆるくなっても、鏡筒がガタつかない。
【００４１】
前述したように、レンズバリア機構４０は、鏡筒の沈胴時に閉じるが、このときバネの付勢力に抗するので、モータには大きな負荷がかかる。しかし、本実施例のように、鏡筒の繰り出しカム１４ａ−３でのカムの嵌合をゆるくすることにより、鏡筒駆動の負荷を分散できる。その結果、モータにかかる負荷のピークを大幅に低くすることができ、モータの駆動電圧を低くすることができる。モータの駆動電圧の低下によって、カメラ本体の最低駆動電圧を低く設定できるので、カメラの駆動時間を延長できる。
【００４２】
振動又は衝撃により鏡筒が激しく動いても、カムが破損しないだけの強度を確保できる場合、沈胴カム１４ａ−２をゆるい嵌合のカムにすることができる。こうすると、より一層、摩耗及び製造コストを低減できる。
【００４３】
【発明の効果】
以上の説明から容易に理解できるように、本発明によれば、部分的にカムの嵌合をゆるくすることで、カメラの省電力化と、カムの摩耗及び製造コストを低減できる。
【図面の簡単な説明】
【図１】  本発明の一実施例の断面図である。
【図２】  本実施例の分解斜視図である。
【図３】  移動カム筒１４を平面に展開し内側から見た図である。
【図４】  固定カム筒１８を平面に展開し内側から見た図である。
【図５】  カム溝１４ａとカム溝１８ａのカム曲線とそれらの合成カム曲線を示す図である。
【図６】  バリアが開いている状態のレンズバリア機構４０の分解斜視図である。
【図７】  カム溝１４ａの沈胴カム１４ａ−２及び撮影カム１４ａ−４の断面図である。
【図８】  カム溝１４ａの繰り出しカム１４ａ−３の断面図である。
【図９】  カム溝１４ａの繰り出しカム１４ａ−３の別の構成の断面図である。
【図１０】  カムフォロア１２ａが撮影カム１４ａ−４に嵌合しているときの、バリア突起５０と固定突起５２の位置関係を示す図である。
【図１１】  図３のＰ点にカムフォロア１２ａが到達したときの、バリア突起５０と固定突起５２の位置関係を示す図である。
【図１２】  図１１より更に沈胴したときの、バリア突起５０と固定突起５２の位置関係を示す図である。
【図１３】  完全に沈胴したときの、バリア突起５０と固定突起５２の位置関係を示す図である。
【符号の説明】
１０：レンズ鏡筒
１２：筒体
１２ａ：カムフォロア
１２ｂ：直進ピン
１４：移動カム筒
１４ａ：カム溝
１４ａ−１：挿入カム
１４ａ−２：沈胴カム
１４ａ−３：繰り出しカム
１４ａ−４：撮影カム
１４ｂ：抜け止め溝
１４ｃ：カムフォロア
１４ｄ：駆動ピン
１６：直進筒
１６ａ：抜け止めピン
１６ｂ：直進キー
１６ｃ：直進溝
１８：固定カム筒
１８ａ：カム溝
１８ａ−１：挿入カム
１８ａ−２：沈胴カム
１８ａ−３：繰り出しカム
１８ａ−４：撮影カム
１８ｂ：直進キー溝
１８ｃ：逃げ穴
２０：駆動環
２０ａ：駆動キー溝
２２：鏡筒ベース
２４：第１レンズ群
２６：撮像面
３０：カム溝１４ａのカム曲線
３２：カム溝１８ａのカム曲線
３４：合成カム曲線
４０：レンズバリア機構
４２，４４，４６，４８：バリア
４２ａ，４４ａ，４６ａ，４８ａ：孔
４２ｂ，４４ｂ：バリア駆動ピン
５０：バリア駆動板
５０ａ，５０ｂ：切り欠き
５０ｃ：バリア突起
５０ｄ：バリア突起５０ｃの斜面
５２：固定突起
５２ａ：固定突起５２の斜面
【図１】
0004497599.tif 000002
【図２】
0004497599.tif 000003
【図３】
0004497599.tif 000004
【図４】
0004497599.tif 000005
【図５】
0004497599.tif 000006
【図６】
0004497599.tif 000007
【図７】
0004497599.tif 000008
【図８】
0004497599.tif 000009
【図９】
0004497599.tif 000010
【図１０】
0004497599.tif 000011
【図１１】
0004497599.tif 000012
【図１２】
0004497599.tif 000013
【図１３】
0004497599.tif 000014